(57)【要約】【課題】音響増強特性を有する床又は壁の被覆用タイルを提供すること。【解決手段】主に歩行音を小さくするが衝撃音と空気伝播音も防ぐため、振動エネルギーの消散特性を付与する粘弾性ポリマータイプの制振材料の層（２）を一方の面に含む、床又は壁用のタイル（１）とする。【選択図】図１
2010031638.tif 000002
【特許請求の範囲】
【請求項１】
一方の面に接合された、振動エネルギー消散特性を付与する制振材料の層（２）を含む、被覆用タイル（１）。
【請求項２】
制振材料の層（２）が、２０℃、１０Ｈｚと５０００Ｈｚの間において、少なくとも０．０８に等しい、好ましくは０．３より大きい、動的損失率ｔａｎδと、５×１０6Ｐａと１０9Ｐａの間の動的ヤング率Ｅ’を有する、請求項１記載のタイル。
【請求項３】
制振材料の層（２）、タイル（１）、及び当該タイルが対象とする支持材（３）がそれぞれ、ヤング率Ｅ'（材料）、Ｅ'（タイル）、Ｅ'（支持材）を有し、それらはＥ'（材料）／Ｅ'（タイル）比が０．０９より小さく、且つＥ'（材料）／Ｅ'（支持材）比が０．０９より小さいようなものである、請求項１又は２記載のタイル。
【請求項４】
制振材料の層（２）が１種以上の粘弾性ポリマー材料、例えば、ビチューメン、スチレン−アクリル系ポリマー、ポリビニルブチラールなど、特に増強した音響減衰特性を持つポリビニルブチラール、で構成されている、請求項１から３までのいずれか一つに記載のタイル。
【請求項５】
制振材料の層（２）が、シートもしくはフィルム、又は流延された樹脂で構成され、且つ１種以上の制振性ポリマー材料で構成されている、請求項１から４までのいずれか一つに記載のタイル。
【請求項６】
制振材料の層（２）が水性接着剤タイプの結合手段により当該タイルに接合されている、請求項１から５までのいずれか一つに記載のタイル。
【請求項７】
制振材料の層（２）が当該制振材料の固有の接着特性により当該タイルに接合されている、請求項１から５までのいずれか一つに記載のタイル。
【請求項８】
前記制振材料の層を含む一方の面の反対側の面がセラミック、例えばファイアンス、テラコッタ、ストーンウエアなど、又はガラス質ペースト、又は大理石、又は再生石、又は硬質複合材料で構成されている、請求項１から７までのいずれか一つに記載のタイル。
【請求項９】
前記制振材料の層（２）の接着力により、床又は壁タイプの硬質支持材（３）に接合する用途向けである、請求項１から８までのいずれか一つに記載のタイル。
【請求項１０】
請求項１から９までのいずれか一つに記載のタイル（１）を複数含む床又は壁の被覆。
【発明の詳細な説明】
【技術分野】
【０００１】
本発明は、音響増強（ａｃｏｕｓｔｉｃ  ｅｎｈａｎｃｅｍｅｎｔ）特性を有する床又は壁の被覆用タイルに関する。本発明との関連において、タイルとは、ファイアンス、テラコッタ、ストーンウエアなどのセラミックを基礎材料とするタイル、大理石のタイル、再生石（ｒｅｃｏｎｓｔｉｔｕｔｅｄ  ｓｔｏｎｅ）のタイル、あるいはまた、床の被覆を構成する場合にタイル上を歩くことができるような硬質の複合材料のタイル、を意味する。
【０００２】
本発明はまた、音響増強特性を有する幾種かのタイルを組み合わせることにより得られる被覆にも関する。
【背景技術】
【０００３】
音響増強の分野では、防音材による増強と音響補正による増強とは大体において区別されている。
【０００４】
防音材は、床を介してであれ、天井を介してであれ、あるいは側壁を介してであれ、一つの部屋から別の部屋への音の伝導を減少させる。防音材は、衝突又は衝撃音のような、機械的発生源の音を低減し、そしてまた空気伝播音や、会話している人あるいはハイファイシステムにより発生するものも低減する。
【０００５】
音響補正は、音源が位置している部屋の音を減少させる。音響補正は、機械的音源の音及び空気伝播音に適用される。床上の機械的音源の音の場合、これは歩行音の音響補正と称される。
【０００６】
ここ数年では、特に衝撃音に対して防音するために、床に音響用の下層を設けて、その上をタイルタイプの床被覆材で覆っている。この目的のためにコルクタイルを使用し、あるいは、タイルの形をした又はレベリングスクリードからなるゴムを基礎材料とする下層を使用し、あるいはまた一般に合成繊維を基礎材料とする下層を使用することも知られている。
【０００７】
フランス国特許出願公開第２３６１５１５号明細書には、ポリスチレンプレートを床に接着し、次にセメント、砂及びゴム混合物を含むモルタルスクリードを流延することが提案されている。スクリードが乾燥したならば、その上にタイルを配置する。
【０００８】
ヨーロッパ特許第０４１３６２６号明細書には、重ねようとするタイルなどの被覆材と比べて表面が硬く、反対面に弾性反発支持材を有する防音タイルが開示されている。それは、弾性反発支持材を構成する、密度が６０ｋｇ／ｍ3と２００ｋｇ／ｍ3の間の極度に圧縮された繊維の緻密で可撓性の層と、このタイルの硬質面を構成するためビチューメン層の各面にそれぞれ固定されたガラス繊維の２つの薄い層で補強されたビチューメンの層とを含み、硬質層は厚さが約５〜６ｍｍ、単位面積あたりの質量が約１０ｋｇ／ｍ2である。
【０００９】
フランス国特許出願公開第２６９３２２１号明細書には、ロールの形をした防音材の解決策が提案されている。この下層は、被覆側に配置される主層と、反対側、すなわち床側に配置される補助的な層を含む。
【００１０】
この補助的な層は、例えば、ポリ塩化ビニル（ＰＶＣ）、ポリウレタンゴム（ＰＵＲ）、ポリエチレン（ＰＥ）、スチレン−ブタジエンゴム（ＳＢＲ）タイプのポリマーを基礎材料とする材料であり、厚さが０．１ｍｍと５ｍｍの間であり、密度は８００ｋｇ／ｍ3を超えない。
【００１１】
上記下層の主層は、下層全体の機械的強度を提供する働きをする。その構成材料は、例えば、ポリ塩化ビニル（ＰＶＣ）、ポリプロピレン（ＰＥ）、ポリエチレン（ＰＥ）などの合成ポリマー、あるいはビチューメンであるが、それは天然由来の材料、例えば木質繊維など、から製作してもよい。この層は、表面が比較的硬いが、下層をロールの形で供給することができるよう巻き上げるのに十分な可撓性を保持する。
【００１２】
しかし、これらの防音材の全ての下層は、取り付けるための特別な装置、時間のかかる適用方法を必要とし、そして時により、特にノウハウを必要とし乾燥時間を生じさせるスクリードを用意するのに、専門家の関与を要求する。
【００１３】
実際、職人であれ、タイルを自身で取り付けたい個人であれ、タイルに音響用の下層を設ける者にとっては、取り付ける時間を減らし、組み上げるのを促進することが常に望ましいことである。
【先行技術文献】
【特許文献】
【００１４】
【特許文献１】フランス国特許出願公開第２３６１５１５号明細書
【特許文献２】ヨーロッパ特許第０４１３６２６号明細書
【特許文献３】フランス国特許出願公開第２６９３２２１号明細書
【発明の概要】
【発明が解決しようとする課題】
【００１５】
本発明の目的は、タイルを素早く且つ簡単に取り付けるのに役立つと同時に、取り付けた被覆に音響増強特性を付与する解決策を提供することである。
【課題を解決するための手段】
【００１６】
本発明によれば、被覆用のタイルは、当該タイルで被覆すべき支持材に面するように設計された一方の面に接合された、タイルに振動エネルギー消散特性を付与する制振材料の層を含むことを特徴とする。
【００１７】
よって、この解決策は、「オールインワン」タイプの製品、すなわち制振手段を既に設けられている被覆用のタイルを提案する。
【００１８】
何よりも、この解決策は歩行音を低減するが、衝撃音及び空気伝播音に対する防音も行う。
【００１９】
一つの特徴によれば、制振材料の層は、２０℃及び１０Ｈｚと５０００Ｈｚの間の周波数において、１０9Ｐａより小さい動的ヤング率Ｅ’と、０．０８より大きいかそれと等しい、好ましくは０．３より大きい、動的損失率（ｌｏｓｓ  ｆａｃｔｏｒ）ｔａｎδを有する。このヤング率と動的損失率はビスコアナライザーを使用してそれ自体公知のやり方で測定される、ということに言及することができる。
【００２０】
更に、発明者らは、制振材料の層は、その剪断作用により完全な制振機能を提供するために、タイルであり床又は壁タイプの支持材である２つの硬質構成要素の間に挟まれる必要がある、ということを実証した。この特徴は、タイルと制振材料との間に、そしてまた制振材料と支持材との間に存在しなければならないインピーダンス破壊（材料の剛性のはっきりとした不連続）により示される。従って、制振層の剪断作用はエネルギーを消散するのに役立つ。制振材料とタイルとの剛性比Ｅ’（材料）／Ｅ’（タイル）は０．０９未満でなければならず、制振材料と支持材との剛性比Ｅ’（材料）／Ｅ’（支持材）も０．０９未満でなければならない。
【００２１】
一つの特徴によれば、制振材料の層は１種以上の粘弾性ポリマー材料、例えばビチューメン、スチレン−アクリル系ポリマー、ポリビニルブチラール、特に向上した音響減衰特性を有するポリビニルブチラール、などで構成される。
【００２２】
制振材料の層は、シート、又はフィルム、又は流延された樹脂の形をとることができ、そして１種以上の制振ポリマー材料で構成することができる。
【００２３】
もう一つの特徴によれば、制振材料の層は、水性接着剤タイプの結合手段、あるいは、粘着を特に熱により促進することができる制振材料の固有の接着特性により、タイルに接合される。
【００２４】
タイルは、いずれの硬質材料から構成してもよく、例えばセラミック、例としてファイアンス、テラコッタ、砂岩など、ガラス質のペースト、大理石、再生石、又は硬質複合材料など、で製作することができる。
【００２５】
タイルは、床又は壁タイプの硬質支持材に、制振材料の層の接着により接合される。
【００２６】
最後に、本発明の複数のタイルを組み合わせることによって、床又は壁の被覆を提供することができる。
【００２７】
本発明のこのほかの利点と特徴を、添付の図面と併せてより詳しく説明する。それらの図は、解釈を容易にするため一定の比率にはなっていない。
【図面の簡単な説明】
【００２８】
【図１】本発明による防音特性を備えたタイルの模式斜視図である。
【図２】図１によるタイルで被覆した床の模式断面図である。
【発明を実施するための形態】
【００２９】
図１は、本発明による音響増強特性を備えたタイル１を示している。
【００３０】
このタイルは、このタイルを配置しようとする硬質の支持材（床又は壁）に面するようにされた面１０と、反対の面１１を含む。
【００３１】
面１０は、接合された制振材料の層２を含む。
【００３２】
面１１は、例えばセラミックを基礎材料とし、あるいはタイル張りの被覆のために用いられるそのほかの任意の普通の材料を基礎材料とする。
【００３３】
制振層と呼ばれる、制振材料の層２は、２０℃及び１０Ｈｚと５０００Ｈｚの間の周波数において、少なくとも０．０８に等しい、好ましくは０．３より大きい、動的損失率ｔａｎδと、１０9Ｐａより小さい、好ましくは５×１０6Ｐａと１０9Ｐａの間の、ヤング率Ｅ’を特徴とする。
【００３４】
制振層は、１種以上の粘弾性制振材料で構成される。制振材料としては、ビチューメン、スチレン−アクリル系又はブチル系のポリマー、例えばポリビニルブチラール（ＰＶＢ）、を挙げることができる。
【００３５】
好ましい材料の例は、向上した音響減衰特性を持つポリビニルブチラールである。
【００３６】
向上した音響減衰特性を持つＰＶＢとしては、ソルーシア（Ｓｏｌｕｔｉａ）社によりＳａｆｌｅｘ（商標）  Ｖａｎｃｅｖａ  Ｑｕｉｅｔ  ＱＣ４１の商標名で販売される材料を挙げることができ、それは２０℃及び１０Ｈｚと５０００Ｈｚの間において、動的損失率ｔａｎδが０．４と１．１の間であり、ヤング率Ｅ’が７．８×１０6Ｐａと１．２×１０8Ｐａの間であり、特に１０００Ｈｚにおいて、動的損失率ｔａｎδが１及びヤング率Ｅ’が５×１０7Ｐａである。
【００３７】
層２は、この層の材料とタイルのそれとの間の相性のよい結合手段によってタイルに接合されるフィルムの形をとっている。一例として、音響用ＰＶＢフィルムを通常の水性接着剤を使ってセラミックタイルに接合することが可能である。
【００３８】
別の態様として、層２は、高温であるときにタイル上に流延されそしてその材料がタイル材料に付着するのに必要な特性を有する樹脂の形をとる。一例として、それはスチレン−アクリル系の物質であることができる。
【００３９】
樹脂の形をとろうとフィルムの形をとろうと、層は材料の積重体で構成してもよい。
【００４０】
層の厚さは０．２ｍｍと３ｍｍの間であり、好ましくは０．２ｍｍと１ｍｍの間である。
【００４１】
図２は、音響増強特性を持つタイルで覆った被覆４を形成する、床３の上に複数のタイルを結合させたものを示している。
【００４２】
制振層は、より詳しく言うと、衝撃により発生するタイル中の屈曲波の振幅を減少させることにより歩行音に関して音響増強を行い、そしてそれによりタイルの音響放射を減らして室内の音を小さくするのに役立つ。
【００４３】
発明者らは、この制振の機能は、制振層と組み合わせたタイルを硬質の支持材、すなわち床又は壁、に結合させるという事実により、相応により顕著になる、ということを証明するのに成功した。それによりサンドイッチタイプの構造が２つの硬質構成要素間に作られて、これが中間の制振層に剪断変形を生じさせそして振動エネルギーを消散させるのに役立つ。
【００４４】
本発明のタイルが主に、それ自体で直接しかるべき音響増強被覆を提供するのに使用しようとするものである場合でも、開放気孔を有するとともにある程度の弾力性を有する下層、例えば、繊維を基礎材料とし衝撃音に対する防音により特別に適合する下層、を事前に被着するのを検討することが可能である。とは言え、この繊維質の下層と制振層との間には、後者が本発明によりその役割を十分に果たすことができるよう、硬質の構成要素を挿入しなければならない。
【００４５】
タイルをその対象となる支持材へと結合するのは、制振層２及び支持材３と相性のよい結合手段５により行われる。これらの手段は、例えば、セメント、漆喰、木材、鉱物性の結合剤、不織、強化又は流延した合成もしくは無機質繊維である。
【００４６】
本発明のタイルは、紛れもなく音響増強特性を有する。
【実施例】
【００４７】
制振層なしの単純なタイルの試料（例１）と、ポリマーの制振層を備えたタイルの２つの試料（例２、３）とで、比較試験を行った。これらの試料はセメントの支持材へ結合させた。
【００４８】
これらの試験は、ＩＳＯ  ＰＡＳ  １６９４０文書に記載された測定方法によって、２００Ｈｚ、１０００Ｈｚ及び３１５０Ｈｚに一番近い共振周波数を、後処理の間に逐次的に選択して、２０℃及びそれぞれ２００Ｈｚ、１０００Ｈｚ及び３１５０Ｈｚで構造体の最頻減衰係数を得ることにより行った。各測定試料は、厚さ５ｍｍのセメント支持材、通常のタイル用接着剤、及び０．１２ｍ2の面積に通常のタイル目地で接合した３つのセラミックタイルで構成した。
【００４９】
これらの３つの例について得られた結果を下記の表１にまとめて示す。
【００５０】
例１は、２００ｍｍ×２００ｍｍ×７．５ｍｍの、制振層なしのきめの細かい光沢のあるストーンウエアのＤＥＳＶＲＥＳタイルに関する。
【００５１】
例２は、例１と同じセラミックタイルに関するものであり、慣用的なポリビニルブチラールフィルムを備えていて、このフィルムはソルーシア（Ｓｏｌｕｔｉａ）社により製造されるＳａｆｌｅｘ（商標）  ＲＣ４１の商標名を持ち、２０℃及び１０Ｈｚと５０００Ｈｚの間で、動的損失率ｔａｎδが０．１と０．４５の間、ヤング率Ｅ’が２．５×１０8Ｐａと７×１０8Ｐａの間であり、詳しく言えば動的損失率ｔａｎδが０．２及びヤング率Ｅ’が５．９×１０8Ｐａである。
【００５２】
例３は、例１と同じセラミックタイルに関するものであり、ソルーシア（Ｓｏｌｕｔｉａ）社により製造される商標名がＳａｆｌｅｘ（商標）  Ｖａｎｃｅｖａ  Ｑｕｉｅｔ  ＱＣ４１の増強した音響減衰特性を持つポリビニルブチラールフィルムを備えていて、このフィルムは、２０℃及び１０Ｈｚと５０００Ｈｚの間において、動的損失率ｔａｎδが０．４と１．１の間であり、ヤング率Ｅ’が７．８×１０6Ｐａと１．２×１０8Ｐａの間であり、特に１０００Ｈｚにおいて、動的損失率ｔａｎδが１及びヤング率Ｅ’が５×１０7Ｐａである。
【００５３】
下記の表１は、２０℃及びいくつかの周波数での、各例の最頻の減衰係数を要約して示している。
【００５４】
【表１】
2010031638.tif 000003
【００５５】
最頻減衰係数が有意に増大することは、本発明のタイルが提供することのできる真の音響増強性能を示している。
【００５６】
２００Ｈｚにおける最頻減衰係数は、低周波数での音響性能の指標である。この減衰係数が０．０２から０．０７に増大することは、構造体におけるエネルギーの消散がより多いこと、従って発散される音が有意に少ないことを示している。この状況は、１０００Ｈｚでの最頻減衰係数の増大により中域周波数において、及び３１５０Ｈｚでの最頻減衰係数の増大により高周波数において、よりいっそう顕著になっている。
【００５７】
高及び中域周波数において、最頻減衰係数は、従来の被覆と本発明による制振層を備えた被覆では５倍になっており、あるいは音響性能に関してよりいっそう増強された制振材料を用いることによって１０倍にさえなっていることを認めることができる。
【００５８】
これらの測定値を補足するために、１０００Ｈｚ及び２０℃で、音響用ＰＶＢのＳａｆｌｅｘ（商標）  Ｖａｎｃｅｖａ  Ｑｕｉｅｔ  ＱＣ４１（例３）とセラミックタイルとの弾性率比Ｅ'PVBac／Ｅ'tileは０．００１であり、従って本発明により０．０９未満である。１０００Ｈｚ及び２０℃において、音響用ＰＶＢのＳａｆｌｅｘ（商標）  Ｖａｎｃｅｖａ  Ｑｕｉｅｔ  ＱＣ４１とセメントとの弾性率比Ｅ'PVBac／Ｅ'supportは０．００４であり、従って０．０９未満である。
【００５９】
このようなタイルには更に、音響増強特性を提供するように指定された被覆を施工する速度において明らかな利点がある。一式そろったキットの形で音響手段を組み入れたタイルを提供することによって、本発明は、複数のタイルを供給しそしてそれらを支持材へ直接結合させて所望の被覆を簡単に且つ素早く作ることにより、それを可能にする。
【符号の説明】
【００６０】
１    タイル
２    制振材料層
３    床
４    被覆
５    結合手段
【図１】
2010031638.tif 000004
【図２】
2010031638.tif 000005